(57)【要約】【課題】  ドキュメントのページ毎の要件を管理し、各ページに対する要件に従って読み取ったドキュメントデータに対する動作を制御することができる画像形成装置を提供することである。【解決手段】  上記の課題を解決するため、本発明は、ドキュメントのページ毎の識別情報を読み取る識別情報読取手段と、識別情報によって指定される動作要件を動作要件選択手段と、動作要件選択手段によって選択された１つ以上の動作要件に従って所定動作の実行を制御する動作制御手段とを有する画像形成装置において、ドキュメントのページ毎の動作要件を格納するページ情報管理テーブルを有し、動作要件選択手段はドキュメントの各ページに対応する動作要件をページ情報管理テーブルに格納し、動作制御手段はページ情報管理テーブルから動作要件を読み出し、該動作要件に従って所定動作の実行を制御する構成とされる。【選択図】  図２
2005151149.tif 000002
【特許請求の範囲】
【請求項１】
ドキュメントのページ毎の識別情報を読み取る識別情報読取手段と、
上記識別情報によって指定される動作要件を選択する動作要件選択手段と、
上記動作要件選択手段によって選択された１つ以上の動作要件に従って所定動作の実行を制御する動作制御手段とを有する画像形成装置において、
上記ドキュメントのページ毎の動作要件を格納するページ情報管理テーブルを有し、
上記動作要件選択手段は、上記ドキュメントの各ページに対応する動作要件を上記ページ情報管理テーブルに格納し、
上記動作制御手段は、上記ページ情報管理テーブルから動作要件を読み出し、該動作要件に従って所定動作の実行を制御することを特徴とする画像形成装置。
【請求項２】
上記動作要件は、上記ドキュメントに対するセキュリティに関する要件であることを特徴とする請求項１記載の画像形成装置。
【請求項３】
上記動作要件は、上記ドキュメントデータの読み取り禁止又は読み取り許可を示す要件であることを特徴とする請求項１記載の画像形成装置。
【請求項４】
上記動作要件は、上記ドキュメントデータの配信に所定の通信路を用いる要件であることを特徴とする請求項１記載の画像形成装置。
【請求項５】
上記所定動作は、電子データで画像を形成することを特徴とする請求項１記載の画像形成装置。
【請求項６】
上記所定動作は、上記ドキュメントを用紙上に印刷することを特徴とする請求項１記載の画像形成装置。
【請求項７】
上記動作制御手段は、上記所定動作が許可されていないページ又は選択された動作要件を満たすことができないページがある場合、該当ページのデータを削除することを特徴とする請求項１記載の画像形成装置。
【請求項８】
上記動作制御手段は、上記所定動作が許可されていないページ又は選択された動作要件を満たすことができないページがある場合、該当ページに要求された動作が許可されていないことを示す画像、或は選択された要件を満たすことができないページが存在することを示す画像を形成することを特徴とする請求項１記載の画像形成装置。
【請求項９】
上記動作制御手段は、上記所定動作が許可されていないページ又は選択された動作要件を満たすことができないページがある場合、該当ページのデータに対して空白画像を形成することを特徴とする請求項１記載の画像形成装置。
【請求項１０】
上記動作制御手段は、上記所定動作が許可されていないページ又は選択された動作要件を満たすことができないページがある場合、該当ページを含むドキュメントに対する動作を停止することを特徴とする請求項１記載の画像形成装置。
【請求項１１】
上記動作制御手段は、上記所定動作が許可されていないページ又は選択された動作要件を満たすことができないページがある場合、該当ページのデータに対して空白画像を形成することを特徴とする請求項１記載の画像形成装置。
【請求項１２】
上記動作制御手段は、上記所定動作が許可されていないページ、又は選択された動作要件を満たすことができないページがある場合の動作結果をユーザーに通知する動作情報通知手段を有することを特徴とする請求項１記載の画像形成装置。
【請求項１３】
上記動作情報通知手段は、要求された動作が許可されていないページが存在する旨、選択された要件を満たすことができないページが存在する旨、該当ページを削除して動作を行う旨、動作を停止する旨のうち少なくとも一つを通知することを特徴とする請求項１２記載の画像形成装置。
【請求項１４】
上記動作情報通知手段により通知された情報に基づいて、上記ユーザから上記情報を確認したことを示す確認情報を取得する確認情報取得手段を有することを特徴とする請求項１２記載の画像形成装置。
【請求項１５】
上記動作情報通知手段により上記ユーザーに通知する情報、及び上記確認情報取得手段により取得する上記確認情報を表示入力手段に表示させることを特徴とする請求項１４記載の画像形成装置。
【請求項１６】
ドキュメントのページ毎の動作要件を格納するページ情報管理テーブルを有する画像形成装置での処理をコンピュータに行なわせるための画像形成方法であって、
上記ドキュメントのページ毎の識別情報を読み取る識別情報読取手順と、
上記識別情報によって指定される動作要件を選択するとともに、上記ドキュメントの各ページに対応する動作要件を上記ページ情報管理テーブルに格納する動作要件選択手順と、
上記ページ情報管理テーブルから動作要件を読み出し、該動作要件に従って所定動作の実行を制御する動作制御手順とを有することを特徴とする画像形成方法。
【請求項１７】
ドキュメントのページ毎の動作要件を格納するページ情報管理テーブルを有する画像形成装置での処理をコンピュータに行なわせるためのプログラムであって、
ドキュメントのページ毎の識別情報を読み取る識別情報読取手順と、
上記識別情報によって指定される動作要件を選択するとともに、上記ドキュメントの各ページに対応する動作要件を上記ページ情報管理テーブルに格納する動作要件選択手順と、
上記ページ情報管理テーブルから動作要件を読み出し、該動作要件に従って所定動作の実行を制御する動作制御手順とを有することを特徴とするプログラム。
【請求項１８】
ドキュメントのページ毎の動作要件を格納するページ情報管理テーブルを有する画像形成装置での処理をコンピュータに行なわせるためのプログラムを格納した記録媒体であって、
ドキュメントのページ毎の識別情報を読み取る識別情報読取手順と、
上記識別情報によって指定される動作要件を選択するとともに、上記ドキュメントの各ページに対応する動作要件を上記ページ情報管理テーブルに格納する動作要件選択手順と、
上記ページ情報管理テーブルから動作要件を読み出し、該動作要件に従って所定動作の実行を制御する動作制御手順とを有することを特徴とする記録媒体。
【発明の詳細な説明】
【技術分野】
【０００１】
本発明は、情報システムのセキュリティを確保するシステムに関し、特に、セキュリティポリシーに基づいたドキュメントの読み取り及び動作を制御する画像形成装置に関する。
【背景技術】
【０００２】
近年、オフィスに代表されるようなドキュメントを扱うフィールドでは、そのドキュメントのセキュリティをコントロールしたいという要望が、常に存在する。例えば秘密の文書を複写する際には管理責任者の許可を得なければならない等，特に情報のコンテナであるドキュメントに対するポリシー，中でも機密保持に関するポリシーの制御が重要視されている。一般に、情報システムのセキュリティ確保は機密性、完全性、可用性の確保に大別されるが、完全性や可用性はシステムの管理者が適切に運営、管理すれば実質上問題のないレベルまで確保できることが多い。これに対して、機密性の確保のためには、ユーザ組織に所属するメンバに、ポリシーを共有及び徹底させなければならないためであろうと推測される。
【０００３】
現実に多くの企業では文書管理規定などを設け、セキュリティをコントロールしようとしている。しかし、実際のオフィスシステムにおけるセキュリティの確保については、文書についてのセキュリティではなく、オフィスシステムを構成するさまざまな機器に関して、個別にセキュリティ設定を行う必要がある。
【０００４】
セキュリティポリシーに基づいてアクセス制御を行う方法に関する従来技術としては、種々のものが挙げられる（特許文献１から、特許文献１４）。
【０００５】
例えば、アクセス制御において、条件付のアクセス許可を評価することが記載されている（特許文献１）。
【０００６】
また、例えば、情報セキュリティポリシーに従った企業情報システムのセキュリティ管理、監査の簡単化について記載されている(特許文献２)。
【０００７】
しかし、特に、上述の特許文献１では、データファイルへのアクセス制御システムで、アクセス後のデータの処理、特に読み取りなどには言及されていない。
【０００８】
また、上述の特許文献２では、セキュリティポリシー、システム、制御手段から構成され、それぞれの組み合わせを登録してあるＤＢ（データベース）から制御手段を抽出して、システムをポリシーに合うように制御する手段を有しているがしかし、その状態を監査する手段では、システムに対して登録された制御手段で制御するだけであり、実現の自由度が低い。
【０００９】
また、特許文献７の操作者ＩＤを入力させ、文書からＩＤを取り出し、複写を制御する方法では、複写を拒否する、又は、複写を許可してログを記録するという固定されたルールに基づく制御しか行えない。
【００１０】
特許文献８の画像から機密文書であることを示すマークを取り出してチェックする方法では、得られた情報からどのような動作を行うか否かが決められているため、ルールの柔軟性に欠ける。
【００１１】
特許文献９の印刷情報に含まれる出力制限データに基づいて出力先を制御する方法では、印刷情報にルールを含めなければならない。
【００１２】
特許文献１０の画像を読み取ってパスワードとともに記憶し,出力の際にパスワードが一致したときに許可する方法では、判断する基準がパスワードだけであり、それによって制御される動作も許可、又は、不許可だけである。
【００１３】
特許文献１１のネットワーク上の複数のMFPのうち、一つのMFPがユーザ管理を行ってネットワーク上のMFPすべての操作の許可、不許可を制御する方法では、制御される動作は許可、又は、不許可だけである。
【００１４】
特許文献１２の複数の機器について利用の許可、操作の許可をユーザごとに判断する方法では、許可,不許可だけしか制御できないし、ユーザ情報に基づいた制御しかできない。というように、従来技術の問題点はルールが限定的で柔軟性がなく、またそのルールもあらかじめ決められたものだけであるという欠点がある。すなわち、従来の入出力装置は、「ユーザ」と「ドキュメント」のＩＤに対する、操作の「許可」、「禁止」だけを、「あらかじめ」決められているものばかりである。
【特許文献１】特開２００１−１８４２６４号公報
【特許文献２】特開２００１−２７３３８８号公報
【特許文献３】特開２００１−３３７８６４号公報
【特許文献４】特開平０９−２９３０３６号公報
【特許文献５】特開平０７−１４１２９６号公報
【特許文献６】特許第０２７３５９６６号公報
【特許文献７】特許３２０３１０３号公報
【特許文献８】特開平７−５８９５０号公報
【特許文献９】特開平７−１５２５２０号公報
【特許文献１０】特開平１０−１９１０７２号公報
【特許文献１１】特開２０００−１５８９８号公報
【特許文献１２】特開２０００−３５７０６４号公報
【特許文献１３】特開２００１−１２５７５９号公報
【特許文献１４】特開２００１−３２５２４９号公報
【発明の開示】
【発明が解決しようとする課題】
【００１５】
しかしながら、このようなセキュリティの実施方法では、ドキュメントの印刷に対するセキュリティを実行する場合には、第１に、セキュリティの施行者が、さまざまな機器のセキュリティに関する知識を必要とする。そして、第２には、すべての機器に対してセキュリティが、一つ一つ実行される必要がある。第３には、システムの全体がどのようなセキュリティ状態になっているのかを容易に把握することが必要であるが、把握しにくい。そして、第４に、個々の機器にセキュリティが実施されていても、実際に文書のセキュリティが守られていることが実感できない。このように、実際のオフィスシステムにおけるセキュリティの確保については、以上のような問題点がある。
【００１６】
また、ドキュメントのページ毎に取り扱いの要件が異なる場合、例えば、ドキュメントの各ページに許可及び禁止の要件が混在する場合、取り込むドキュメントに対して各ページの要件に応じた処理を行うことが難しいという問題点もある。
【００１７】
本発明は、上述の問題点を解決することを目的とする。
【００１８】
特に本発明の目的は、ドキュメントのページ毎の要件を管理し、各ページに対する要件に従って読み取ったドキュメントデータに対する動作を制御することができる画像形成装置、その画像形成装置での処理をコンピュータに行わせるための画像形成方法及びプログラム、そのプログラムを記憶したコンピュータが読み取り可能な記録媒体を提供することである。
【課題を解決するための手段】
【００１９】
上記の課題を解決するため、本発明は、請求項１に記載されるように、ドキュメントのページ毎の識別情報を読み取る識別情報読取手段と、上記識別情報によって指定される動作要件を選択する動作要件選択手段と、上記動作要件選択手段によって選択された１つ以上の動作要件に従って所定動作の実行を制御する動作制御手段とを有する画像形成装置において、上記ドキュメントのページ毎の動作要件を格納するページ情報管理テーブルを有し、上記動作要件選択手段は、上記ドキュメントの各ページに対応する動作要件を上記ページ情報管理テーブルに格納し、上記動作制御手段は、上記ページ情報管理テーブルから動作要件を読み出し、該動作要件に従って所定動作の実行を制御する構成とされる。
【００２０】
このような画像形成装置において、ドキュメントのページ毎の動作要件を管理し、ドキュメントの各ページに許可及び禁止の要件が混在する場合でも、各ページに対する要件に従って、読み取ったドキュメントデータに対する動作を制御することができる。
【００２１】
また、本発明は、請求項２に記載されるように、上記動作要件は、上記ドキュメントに対するセキュリティに関する要件であるように構成することができる。
【００２２】
このような画像形成装置において、ドキュメントのページ毎のセキュリティに関する動作要件を管理することができる。
【００２３】
また、本発明は、請求項３に記載されるように、上記動作要件は、上記ドキュメントデータの読み取り禁止又は読み取り許可を示す要件であるように構成することができる。
【００２４】
このような画像形成装置において、ドキュメントの各ページに読み取り許可及び禁止の要件が混在する場合でも、各ページに対する要件に従って、読み取ったドキュメントデータに対する動作を制御することができる。
【００２５】
また、本発明は、請求項４に記載されるように、上記動作要件は、上記ドキュメントデータの配信に所定の通信路を用いる要件であるように構成することができる。
【００２６】
このような画像形成装置において、ドキュメントの各ページに規定されたデータ配信に所定の通信路を用いる要件に従って、読み取ったドキュメントデータに対する動作を制御することができる。
【００２７】
また、本発明は、請求項５に記載されるように、上記所定動作は、電子データで画像を形成するように構成することができる。
【００２８】
このような画像形成装置において、読み取ったドキュメントデータに対して電子データで画像を形成することができる。
【００２９】
また、本発明は、請求項６に記載されるように、上記所定動作は、上記ドキュメントを用紙上に印刷するように構成することができる。
【００３０】
このような画像形成装置において、読み取ったドキュメントデータに対して用紙上に印刷することができる。
【００３１】
また、本発明は、請求項７に記載されるように、上記動作制御手段は、上記所定動作が許可されていないページ又は選択された動作要件を満たすことができないページがある場合、該当ページのデータを削除するように構成することができる。
【００３２】
このような画像形成装置において、ドキュメントのページに禁止の要件がある場合や選択された動作要件を満たしていない場合、所定のページのデータのみを削除したドキュメントデータに対して動作を制御することができる。
【００３３】
また、本発明は、請求項８に記載されるように、上記動作制御手段は、上記所定動作が許可されていないページ又は選択された動作要件を満たすことができないページがある場合、該当ページに要求された動作が許可されていないことを示す画像、或は選択された要件を満たすことができないページが存在することを示す画像を形成するように構成することができる。
【００３４】
このような画像形成装置において、ドキュメントのページに禁止の要件がある場合や選択された動作要件を満たしていない場合、所定のページのデータのみを削除し、代りに許可されていないことを示す情報や要件を満たさないことを示す情報を加えたドキュメントデータに対して動作を制御することができる。
【００３５】
また、本発明は、請求項９に記載されるように、上記動作制御手段は、上記所定動作が許可されていないページ又は選択された動作要件を満たすことができないページがある場合、該当ページのデータに対して空白画像を形成するように構成することができる。
【００３６】
このような画像形成装置において、ドキュメントのページに禁止の要件がある場合や選択された動作要件を満たしていない場合、該当ページのデータに対して空白画像を形成したドキュメントデータに対して動作を制御することができる。
【００３７】
また、本発明は、請求項１０に記載されるように、上記動作制御手段は、上記所定動作が許可されていないページ又は選択された動作要件を満たすことができないページがある場合、該当ページを含むドキュメントに対する動作を停止するように構成することができる。
【００３８】
このような画像形成装置において、ドキュメントのページに禁止の要件がある場合や選択された動作要件を満たしていない場合、該当ページを含むドキュメントに対する動作を停止したドキュメントデータに対して動作を制御することができる。
【００３９】
また、本発明は、請求項１１に記載されるように、上記動作制御手段は、上記所定動作が許可されていないページ又は選択された動作要件を満たすことができないページがある場合、該当ページのデータに対して空白画像を形成するように構成することができる。
【００４０】
このような画像形成装置において、ドキュメントのページに禁止の要件がある場合や選択された動作要件を満たしていない場合、該当ページのデータに対して空白画像を形成したドキュメントデータに対して動作を制御することができる。
【００４１】
また、本発明は、請求項１２に記載されるように、上記動作制御手段は、上記所定動作が許可されていないページ、又は選択された動作要件を満たすことができないページがある場合の動作結果をユーザーに通知する動作情報通知手段を有する構成とすることができる。
【００４２】
このような画像形成装置において、所定動作が許可されていないページ、又は選択された動作要件を満たすことができないページがある場合の動作結果をユーザーに通知することができる。
【００４３】
また、本発明は、請求項１３に記載されるように、上記動作情報通知手段は、要求された動作が許可されていないページが存在する旨、選択された要件を満たすことができないページが存在する旨、該当ページを削除して動作を行う旨、動作を停止する旨のうち少なくとも一つを通知するように構成することができる。
【００４４】
このような画像形成装置において、要求された動作が許可されていないページが存在する旨、選択された要件を満たすことができないページが存在する旨、該当ページを削除して動作を行う旨、動作を停止する旨のうち少なくとも一つの動作結果をユーザーに通知することができる。
【００４５】
また、本発明は、請求項１４に記載されるように、上記動作情報通知手段により通知された情報に基づいて、上記ユーザから上記情報を確認したことを示す確認情報を取得する確認情報取得手段を有するように構成することができる。
【００４６】
このような画像形成装置において、通知された情報を確認したユーザから確認情報を取得することができる。
【００４７】
また、本発明は、請求項１５に記載されるように、上記動作情報通知手段により上記ユーザーに通知する情報、及び上記確認情報取得手段により取得する上記確認情報を表示入力手段に表示させるように構成することができる。
【００４８】
このような画像形成装置において、ユーザーに通知する情報やユーザーから取得するための確認情報を表示入力手段に表示させることができる。
【００４９】
また、上記課題を解決するため、本発明は、上記画像形成装置での処理をコンピュータに行なわせるための画像形成方法及びプログラム、及びそのプログラムを記憶したコンピュータ読み取り可能な記録媒体とすることもできる。
【発明の効果】
【００５０】
本願発明によれば、ドキュメントのページ毎の要件を管理し、ドキュメントの各ページに許可及び禁止の要件が混在する場合でも、各ページに対する要件に従って読み取ったドキュメントデータに対する動作を制御することができる画像形成装置及びその画像形成装置での処理をコンピュータに行わせるための画像形勢方法及びプログラム、そのプログラムを記憶したコンピュータが読み取り可能な記録媒体を提供することができる。
【発明を実施するための最良の形態】
【００５１】
以下、本発明の実施の形態を図面に基づいて説明する。
【００５２】
図１は、本発明の第１実施例に係る画像形成装置のハードウェア構成を示すブロック図である。図１において、本発明の画像形成装置の一例である画像形成装置１００は、コンピュータによって制御される装置であって、ＣＰＵ（中央処理装置）１１と、ＲＯＭ（Read-Only Memory）１２と、ＲＡＭ（Random Access Memory）１３と、不揮発性ＲＡＭ（non-volatile Random Access Memory）１４と、リアルタイムクロック１５、イーサネット（登録商標）Ｉ／Ｆ（Ethernet（登録商標） Interface）２１と、ＵＳＢ（Universal Serial Bus）２２と、ＩＥＥＥ（Institute of Electrical and Electronics Engineers）1284 ２３と、ハードディスクＩ／Ｆ２４と、エンジンＩ／Ｆ２５と、ＲＳ−２３２Ｃ  Ｉ／Ｆ２６と、ドライバ２７とで構成され、システムバスＢに接続される。
【００５３】
ＣＰＵ１１は、ＲＯＭ１２に格納されたプログラムに従って画像形成装置１００を制御する。ＲＡＭ１３には、例えば、各インターフェース２１〜２６に接続される資源に領域が割り当てられる。不揮発性ＲＡＭ１４には、画像形成装置１００を制御するためにＣＰＵ１１による処理で必要な情報が格納される。リアルタイムクロック１５は、現時刻を計ると共に、処理を同期させる場合にＣＰＵ１１によって使用される。
【００５４】
イーサネット（登録商標）Ｉ／Ｆ２１には、１０ＢＡＳＥ−Ｔ又は１００ＢＡＳＥ−ＴＸ等のイーサネット（登録商標）用インターフェースケーブルが接続される。ＵＳＢ２２には、ＵＳＢ用インターフェースケーブルが接続される。ＩＥＥＥ1284 ２３には、ＩＥＥＥ1284用インターフェースケーブルが接続される。
【００５５】
ハードディスクＩ／Ｆ２４には、ハードディスク３４が接続され、ネットワークを介して送信された印刷すべき文書の文書データ、又は、印刷処理後の画像データがハードディスクＩ／Ｆ２４を介してハードディスク３４に格納される。エンジンＩ／Ｆ２５には、文書データに基づいて所定媒体に印刷を行うプロッタ３５−１及び画像データを取り込むスキャナ３５−２等が接続される。ＲＳ−２３２Ｃ  Ｉ／Ｆ２６には、オペレーションパネル３６が接続され、ユーザへのドキュメントのページ毎のセキュリティポリシーに関する情報の表示、及びユーザから入力情報又は設定情報の取得が行われる。
【００５６】
画像形成装置１００によって行われる処理を実現するプログラムは、例えば、ＣＤ−ＲＯＭ等の記録媒体３７によって画像形成装置１００に提供される。即ち、プログラムが保存された記録媒体３７がドライバ２７にセットされると、ドライバ２７が記録媒体３７からプログラムを読み出し、その読み出されたプログラムがシステムバスＢを介してハードディスク３４にインストールされる。そして、プログラムが起動されると、ハードディスク３４にインストールされたプログラムに従ってＣＰＵ１１がその処理を開始する。尚、プログラムを格納する記録媒体３７としてＣＤ−ＲＯＭに限定するものではなく、コンピュータが読み取り可能な記録媒体であればよい。また、プログラムを、ネットワークを介してダウンロードし、ハードディスク３４にインストールするようにしても良い。
【００５７】
本実施例では、上記画像形成装置１００だけでなく、異なるタイプのシステムでドキュメントに対するセキュリティポリシーを共有するために、以下のような仕組みを使用して、セキュリティポリシーを記述する。ここでは、記述したセキュリティポリシーのことをドキュメントセキュリティポリシー（ＤＳＰ）と呼ぶ。
【００５８】
ユーザの属する組織は、例えば、機密文書、丸秘文書、社外秘文書のような、文書の機密レベルごとに、そのドキュメントに対するセキュリティポリシーを掲げることが想定される。このようなセキュリティポリシーをＤＳＰとして記述できるようにするために，以下のような方法を使用する。
【００５９】
まず最初に、ドキュメントを機密レベル（極秘、丸秘、社外秘など）と、カテゴリー（人事文書、技術文書など）に応じて分類する。この、機密レベルとカテゴリーの組みを、ドキュメントのセキュリティラベルと呼ぶ。このセキュリティラベルは、実際には、個々のドキュメントのページ毎に属性情報として付与される。この属性情報としてドキュメントに付与されるのは、セキュリティラベルのリストを管理するファイル、例えば、ＸＭＬによって記述される。
【００６０】
このようなセキュリティポリシーに従って動作する画像形成装置について図２、図８、図１０、図１２、図１８を参照して以下に詳細に説明する。
【００６１】
図２は、本発明の第１実施例に係る画像形成装置のシステム構成図である。図２に示す読み取り装置としての画像形成装置１００は、主に、読み取り部７１と、読み取り条件取得部７２と、データ送信先取得部７３と、データ処理部７４と、データ送信部７５と、ドキュメント属性取得部１１１と、動作要件選択部１１２と、動作制御部１１３と、ユーザ属性取得部１２１と、読み取り画像データを格納した読み取り画像データＤＢ（データベース）６１と、蓄積データＤＢ６２と、ページ管理テーブルＤＢ６３を有する。
【００６２】
また、ドキュメント属性取得部１１１は、読み取り対象となるＤＳＰが記述された紙原稿６０の各ページから、又は読み取り画像データＤＢ６１からドキュメントの属性を取得して、動作要件選択部１１２へ通知する。
【００６３】
一方、ユーザ属性取得部１２１は、ユーザによって入力されたユーザ情報を取得すると、動作要件選択部１１２に通知する。動作要件選択部１１２は、紙原稿６０のＤＳＰに従って各ページに対する許可される場合の動作要件を選択し、その結果をページ管理テーブルＤＢ６３に格納する。また、動作要件選択部１１２は、直接、結果を動作制御部１１３に通知するようにしてもよい。動作制御部１１３は、ページ管理テーブルＤＢ６３に格納された要件に基づいて、又は、動作要件選択部１１２から通知された要件に基づいて、読み取った紙原稿６０の画像データに対するデータ処理を指示する。
【００６４】
読み取り部７１は、読み取り条件取得部７２から通知されるユーザによって入力された読み取り条件に従って、紙原稿６０を読み取る（スキャン）する処理部であり、読み取った画像データは、読み取り画像データＤＢ６１に格納される。また、画像データＤＢ６１から取得したドキュメント属性をドキュメント属性取得部１１１に通知する。
【００６５】
読み取り条件取得部７２は、ユーザによって入力された読み取り条件を取得し、読み取り部７１とデータ処理部７４とへ通知する。
【００６６】
データ送信先取得部７３は、ユーザによって入力されたデータ送信先を取得し、データ送信部７５に通知する。
【００６７】
データ処理部７４は、動作制御部１１３から提供される要件を満たすように読み取り条件取得部７２から通知されるユーザによって入力された読み取り条件に従ってデータ処理を行い、そのデータ処理された画像データを蓄積データＤＢ６２に蓄積する。
【００６８】
データ送信部７５は、動作制御部１１３から通知される要件を満たすように、蓄積データＤＢ６２から取り出した処理対象となる画像データをデータ送信先取得部７３から通知された送信先へ送信する。
【００６９】
画像データを外部に送信する必要がない場合、データ送信部７５を省略しても良い。また、画像データを記録媒体３７に記憶するようにしても良い。
【００７０】
図２において、読み取り装置としての画像形成装置１００は、専用のハードウェアにより構成するように記載されているが、汎用のコンピュータとそのコンピュータ上で実行されるプログラムにより構成するようにしても良い。
【００７１】
また、以下に説明する本発明の実施例をコンピュータ上で実行するプログラムは、コンピュータにより読み出し可能な記録媒体に記録され、その実行前に、コンピュータにより読みこまれる。また、このようなプログラムは、コンピュータネットワークを介して配信されることも可能である。
【００７２】
このように、本願発明の画像形成装置１００は、ドキュメントのページ毎の要件をページ管理テーブルＤＢ６３で管理することにより、ドキュメントの各ページに許可及び禁止の要件が混在する場合でも、各ページに対する要件に従って読み取ったドキュメントデータに対する動作を制御することができる。
【００７３】
次に、ページ管理テーブルＤＢ６３に格納されるテーブルについて説明する。図３は、ページ管理テーブルＤＢに格納されるテーブルを示す図である。図３に示すテーブル６３０には、動作要件選択部１１２からのページ毎の動作要件が格納されている。テーブル６３０には、読み取りを行うドキュメントのページ番号を示す項目と、各ページに対する処理の可否（許可、禁止）を示す項目と、そのページに対する複数の要件（要件１、要件２、要件３など）を示す項目とで構成されている。例えば、テーブル６３０には、ページ番号「３」のページに対する処理が「禁止」されていることを示し、ページ番号「２」のページに対する処理が「許可」されていることを示し、要件１「スタンプ表示」、要件２「信頼できる通信路の利用」の情報が格納されている。以降、「要件」（「動作要件」）は、上記可否項目及び複数の要件の項目とを示すものとする。
【００７４】
尚、テーブル６３０に格納される要件は、各種ドキュメントのデータ処理及びそのデータ処理に関する情報のみを格納すればよい。従って、多くの記録領域を必要とすることなく、必要最小限のデータ処理に関する情報を管理してドキュメントに対する動作を行うことができる。
【００７５】
次に、画像形成装置１００による読み取り処理の際に、読み取り禁止の要件を有するページのデータを削除する処理について説明する。図４は、読み取り禁止の要件を有するドキュメントのデータ処理について説明するための図である。図４において、画像形成装置１００は、読み取りの対象となるドキュメント（紙原稿）６００を読み取る（ステップＳ１）。ドキュメント６００には、ページ番号「３」のページ６０１に要件「禁止」が規定されている。画像形成装置１００のドキュメント属性取得部１１１は、ドキュメント６００の属性を読み取り、動作要件選択部１１２に通知される。動作要件選択部１１２は、通知されたドキュメント６００の属性（要件）をページ管理テーブルＤＢ６３に格納する。動作処理部１１３は、ページ管理テーブルＤＢ６３から各ページの要件を読み出し、その要件に従って、読み取り部７１により読み取ったドキュメント６００のデータに対する動作を制御する。図４では、ページ番号「３」のページ６０１の要件が「禁止（スキャン禁止）」となっているため、ドキュメント６００を読み取ったデータから３ページ目のデータを削除したドキュメントデータ６０２を蓄積データＤＢ６２へ格納する。
【００７６】
このように、ページ管理テーブルＤＢ６３に格納された要件から、所定のページに禁止要件がある場合、そのページのデータのみを削除したドキュメントデータの動作を制御することができる。
【００７７】
次に、画像形成装置１００による読み取り処理の際に、所定のページが読み取り禁止であることを示すための処理について説明する。図５は、読み取り禁止の要件を有するドキュメントのデータ処理について説明するための図である。図５において、画像形成装置１００は、読み取りの対象となるドキュメント（紙原稿）６００を読み取る（ステップＳ１）。ドキュメント６００には、ページ番号「３」のページ６０１に要件「禁止（スキャン禁止）」が規定されている。画像形成装置１００のドキュメント属性取得部１１１は、ドキュメント６００の属性を読み取り、動作要件選択部１１２に通知される。動作要件選択部１１２は、通知されたドキュメント６００の属性（要件）をページ管理テーブルＤＢ６３に格納する。動作処理部１１３は、ページ管理テーブルＤＢ６３から各ページの要件を読み出し、その要件に従って、読み取り部７１により読み取ったドキュメント６００のデータに対する動作を制御する。図５では、要件が「禁止」となっているページ番号「３」のページ６０１のデータを消去して、代りに該当ページが読み取り禁止であったことを示す情報、例えば、６０４に示すように「読み取り禁止」を示す情報を、ドキュメントデータ６０３に書き込んで蓄積データＤＢ６２へ格納する。
【００７８】
このように、ページ管理テーブルＤＢ６３に格納された要件から、所定のページに禁止要件がある場合、そのページのデータのみを削除し、該当ページの部分に読み取り禁止であることを示して、ドキュメントデータの動作を制御することができる。
【００７９】
次に、画像形成装置１００による読み取り処理の際に、動作要件選択部１１２により選択された動作要件を満たすことができない場合の処理について説明する。図６は、信頼できる通信路を利用するという要件を有するドキュメントのデータ送信処理について説明するための図である。図６において、画像形成装置１００は、蓄積データＤＢ６２に格納されたドキュメントデータ６０２を読み出す。更に、動作制御部１１３は、ページ管理テーブルＤＢ６３に格納されたページ毎の要件を読み出し、その要件に従った動作を制御する情報をデータ送信部７５へ通知する。
【００８０】
例えば、このドキュメントデータ６０６には、要件が「禁止」であるページ番号「３」のデータが削除された状態で格納されており、ページ番号「２」のページ６０５の要件に「信頼（信頼できる通信路を利用する）」が規定されている。信頼できる通信路を確保できない場合、データ送信部７５は、ページ６０５のデータを削除したドキュメントデータ６０６をその他の画像形成装置へ送信する（ステップＳ３）。
【００８１】
このように、ページ管理テーブルＤＢ６３に格納された要件から、所定のページに規定された要件を満たすことができない場合、そのページのデータを削除して他の画像形成装置に送信することができ、情報漏洩を防ぐことができる。
【００８２】
次に、画像形成装置１００による読み取り処理の際に、動作要件選択部１１２により選択された動作要件を満たすことができない場合の処理について説明する。図７は、信頼できる通信路を利用するという要件を有するドキュメントのデータ送信処理について説明するための図である。図７において、画像形成装置１００は、蓄積データＤＢ６２に格納されたドキュメントデータ６０２を読み出す。更に、動作制御部１１３は、ページ管理テーブル６３に格納されたページ毎の要件を読み出し、その要件に従った動作を制御する情報をデータ送信部７５へ通知する。
【００８３】
例えば、このドキュメントデータ６０６には、要件が「禁止」であるページ番号「３」のデータが削除された状態で格納されており、ページ番号「２」のページ６０５の要件に「信頼（信頼できる通信路を利用する）」が規定されている。信頼できる通信路を確保できない場合、データ送信部７５は、ページ６０５のデータを消去して、代りに該当ページのデータが送信不可能であったことを示す情報をドキュメントデータ６０７に書き込んで、その他の画像形成装置へ送信する（ステップＳ３）。例えば、６０８に示すように「信頼できる通信路が使用できないため送信できませんでした」を示す情報を、ドキュメントデータ６０７に書き込んで送信する。
【００８４】
このように、ページ管理テーブルＤＢ６３に格納された要件から、所定のページに規定された要件を満たすことができない場合、そのページのデータが送信不可能であったことを示す情報を書き込んで他の画像形成装置に送信することができ、情報漏洩を防ぐことができる。
【００８５】
以上のように画像形成装置１００でドキュメントを読み取る際に、処理が禁止されたり、要件を満たすことができなかった場合は、ユーザーにその内容を通知することも可能である。この場合、ユーザーに通知するための動作情報通知部を備える必要があり、この動作情報通知部を設けた本発明の第２実施例について以下に説明する。
【００８６】
図８は、本発明の第２実施例に係る画像形成装置のシステム構成図である。尚、図８に示す第２実施例の画像形成装置１０１において、図２に示す第１実施例の画像形成装置１００と同様の構成については同符号を付して説明を省略し、画像形成装置１０１が動作情報通知部７６を備えた点で画像形成装置１００と相異するため、以下に相違点を説明する。図８において、動作情報通知部７６は、動作制御部１１３による処理結果を示す情報を生成し、ユーザーへ通知を行う。
【００８７】
例えば、処理結果を通知する方法として、画像形成装置１００のオペレーションパネル３６に「読み取りの禁止されているページが含まれています」、「３ページ目の読み取りが禁止されています」などの表示を行うものとする。
【００８８】
次に、画像形成装置１０１のオペレーションパネル３６への表示例を説明する。図９は、ユーザーに処理結果を通知するための表示例を示す図である。図９において、画像形成装置１０１のオペレーションパネル３６に表示され、ユーザーへ処理結果、例えば、所定のページの要件と、その要件に対するドキュメントデータの処理を通知するための表示例を示している。図９（Ａ）の表示域７６０には、「読み取りの禁止されているページが含まれています  処理を取り止めました」というメッセージを表示している。図９（Ｂ）の表示域７６１には、「読み取りの禁止されているページが含まれています  該当ページをスキップして読み取りを行いました」というメッセージを表示している。
【００８９】
このように、画像形成装置１０１でのドキュメントの各ページの要件に従って処理された結果、例えば、ドキュメントの要件と、その要件に対応する処理をユーザーに通知することができる。
【００９０】
また、画像形成装置１００で自動的に読み取りや、ドキュメントに対する動作を制御したり、停止したりしてもよいが、第２実施例に示す動作情報通知部７６に加えて、ユーザーから確認情報を取得することも可能である。この場合、ユーザーから確認情報を取得するための確認情報取得部を備える必要があり、この確認情報取得部を設けた本発明の第３実施例について以下に説明する。
【００９１】
図１０は、本発明の第３実施例に係る画像形成装置のシステム構成図である。尚、図１０に示す第３実施例の画像形成装置１１０において、図８に示す第２実施例の画像形成装置１０１と同様の構成については同符号を付して説明を省略し、画像形成装置１１０が確認情報取得部７７を備えた点で画像形成装置１０１と相異するため、以下に相違点を説明する。図１０において、確認情報取得部７７は、動作情報通知部７６により通知された処理結果を確認したユーザーから入力された確認情報を取得する。
【００９２】
例えば、確認情報を入力する方法として、画像形成装置１１０のオペレーションパネル３６に表示された複数の確認情報の入力域から、所定の動作をユーザーに選択させるものとする。
【００９３】
次に、画像形成装置１１０のオペレーションパネル３６への表示例を説明する。図１１は、ユーザーに動作確認を促すための表示例を示す図である。図１１において、画像形成装置１１０のオペレーションパネル３６に、例えば、所定のページの要件と、その要件に対するドキュメントデータの処理を確認、選択するため入力域とを表示した表示例を示している。図１１（Ａ）には表示域７６２と、入力域７６６、７６７とが表示されている。表示域７６２には、「読み取りの禁止されているページが含まれています」というメッセージが表示され、入力域７６６には、「該当ページをスキップして読み取りを行なう」という動作が表示され、入力域７６７には、「読み取りをやめる」という動作が表示されている。図１１（Ｂ）には表示域７６３と、入力域７６８、７６９とが表示されている。表示域７６３には、「信頼できる通信路が使用できないため送信できないページが含まれています」というメッセージが表示され、入力域７６８には、「該当ページをスキップして送信を行なう」という動作が表示され、入力域７６９には、「送信をやめる」という動作が表示されている。
【００９４】
このように、画像形成装置１０１でのオペレーションパネル３６に、ドキュメントのページ毎の要件をユーザーに通知すると共に、ドキュメントの各ページの要件に対する複数の動作を示す入力域を表示させることにより、ユーザーに動作の確認及び選択を促すことができる。
【００９５】
また、本発明のページ管理テーブルＤＢ６３を有し、ドキュメントのページ毎の要件に従って処理を行う複写装置としての画像形成装置を以下に説明する。
【００９６】
図１２は、ドキュメントのページ毎の要件に従って処理を行う複写装置としての画像形成装置のシステム構成図である。尚、図１２に示す画像形成装置１２０において、図２に示す第１実施例の画像形成装置１００と同様の構成については同符号を付して説明を省略する。図１２において、複写装置としての画像形成装置１２０は、画像形成装置１００の読み取り条件取得部７２とデータ送信先取得部７３の代わりに複写条件取得部８１と、画像形成装置１００のデータ送信部７５の代わりに印刷部８２とを有する点で相違する。
【００９７】
ドキュメント属性取得部１１１は、読み取り対象となるＤＳＰが記述された紙原稿６０の各ページから、又は読み取り画像データＤＢ６１からドキュメントの属性を取得して、動作要件選択部１１２へ通知する。
【００９８】
ユーザ属性取得部１２１は、ユーザによって入力されたユーザ情報を取得すると、動作要件選択部１１２に通知する。動作要件選択部１１２は、紙原稿６０のＤＳＰに従って各ページに対する許可される場合の動作要件を選択し、その結果をページ管理テーブルＤＢ６３に格納する。また、動作要件選択部１１２は、直接、結果を動作制御部１１３に通知するようにしてもよい。動作制御部１１３は、ページ管理テーブルＤＢ６３に格納された要件に基づいて、又は、動作要件選択部１１２から通知された要件に基づいて、読み取り部７１により読み取った紙原稿６０の画像データに対するデータ処理を指示する。
【００９９】
複写条件取得部８１は、ユーザーがオペレーションパネル３６に入力した複写条件を取得して、読み取り部７１とデータ処理部７４へ複写条件を通知すると共に、印刷部８２へも通知する。
【０１００】
印刷部８２は、動作制御部１１３からの指示に応じて蓄積データＤＢ６２から紙原稿６０の画像データを取得し、動作制御部１１３から通知された要件を満たすように複写条件取得部８１から通知された複写条件に従って印刷処理を行い、用紙に画像データが形成された複写原稿（紙出力）６５を出力する。
【０１０１】
このように、画像形成装置１２０は、ページ管理テーブルＤＢ６３で管理したドキュメントのページ毎の要件及び複写条件とにより、各ページに対する要件に従って読み取ったドキュメントのデータに対する印刷処理を制御することができる。
【０１０２】
次に、画像形成装置１２０のページ管理テーブルＤＢ６３に格納されるテーブルについて説明する。図１３は、ページ管理テーブルＤＢに格納されるテーブルを示す図である。図１３に示すテーブル６３１には、複写装置としての画像形成装置１２０における動作要件選択部１１２からのページ毎の動作要件が格納されている。テーブル６３１には、読み取りを行うドキュメントのページ番号を示す項目と、各ページに対する処理の可否（許可、禁止）を示す項目と、そのページに対する複数の要件（要件１、要件２、要件３など）を示す項目とで構成されている。例えば、テーブル６３１には、ページ番号「３」のページに対する印刷処理が「禁止（複写禁止）」されていることを示し、ページ番号「２」のページに対する処理が「許可」されていることを示し、要件１「スタンプ印字」の情報が格納されている。
【０１０３】
尚、テーブル６３１に格納される要件は、複写装置としての画像形成装置１２０における各種ドキュメントのデータ処理及びそのデータ処理に関する情報のみを格納すればよい。従って、多くの記録領域を必要とすることなく、必要最小限のデータ処理に関する情報を管理してドキュメントに対する動作を行うことができる。
【０１０４】
次に、画像形成装置１２０による印刷処理の際に、複写禁止の要件を有するページのデータを削除する処理について説明する。図１４は、複写禁止の要件を有するドキュメントデータの読み込み、印刷処理について説明するための図である。図１４において、画像形成装置１２０は、読み取りの対象となるドキュメント（紙原稿）６１０を読み取る（ステップＳ１）。ドキュメント６１０には、ページ番号「３」のページ６０１に要件「禁止」が規定されている。画像形成装置１２０のドキュメント属性取得部１１１は、ドキュメント６１０の属性を読み取り、動作要件選択部１１２に通知する。動作要件選択部１１２は、通知されたドキュメント６１０の属性（要件）をページ管理テーブルＤＢ６３に格納する。動作処理部１１３は、ページ管理テーブルＤＢ６３から各ページの要件を読み出し、その要件に従って、読み取り部７１により読み取ったドキュメントデータ６１１のデータに対する印刷部８２による印刷を制御する（ステップＳ２）。図１４では、ページ番号「３」のページ６０９の要件が「禁止（複写禁止）」となっているため、ドキュメント６１０を読み取ったデータから３ページ目のデータを削除したドキュメントデータ６１１を蓄積データＤＢ６２へ格納する。
【０１０５】
このように、ページ管理テーブルＤＢ６３に格納された要件から、所定のページに複写禁止要件がある場合、そのページのデータのみを削除したドキュメントデータの印刷を行なうことができる。
【０１０６】
次に、画像形成装置１２０による印刷処理の際に、所定のページが複写禁止であることを示すための処理について説明する。図１５は、複写禁止の要件を有するドキュメントデータの読み込み、印刷処理について説明するための図である。図１５において、画像形成装置１２０は、読み取りの対象となるドキュメント（紙原稿）６１０を読み取る（ステップＳ１）。ドキュメント６１０には、ページ番号「３」のページ６０９に要件「禁止（複写禁止）」が規定されている。
【０１０７】
画像形成装置１２０のドキュメント属性取得部１１１は、ドキュメント６１０の属性を読み取り、動作要件選択部１１２に通知する。動作要件選択部１１２は、通知されたドキュメント６１０の属性（要件）をページ管理テーブルＤＢ６３に格納する。動作処理部１１３は、ページ管理テーブルＤＢ６３から各ページの要件を読み出し、その要件に従って、読み取り部７１により読み取ったドキュメント６１０のデータに対する印刷部８２による印刷を制御する。図１５では、要件が「禁止」となっているページ番号「３」のページ６０９のデータを消去して、代りに該当ページが６１３に示すように「複写禁止」であることを示す情報を、ドキュメントデータ６１２に書き込んで蓄積データＤＢ６２へ格納する。
【０１０８】
このように、ページ管理テーブルＤＢ６３に格納された要件から、所定のページに複写禁止要件がある場合、そのページのデータのみを削除し、該当ページの部分に複写禁止を示してドキュメントデータを印刷することができる。
【０１０９】
次に、両面印刷されたドキュメントに対して所定のページが複写禁止の要件である場合の印刷処理について説明する。図１６は、両面印刷の場合の複写禁止の要件を有するドキュメントデータの読み込み、印刷処理について説明するための図である。図１６において、画像形成装置１２０は、読み取りの対象となる両面印刷されたドキュメント（紙原稿）６１５を読み取る（ステップＳ１）。ドキュメント６１５には、ページ番号「３」のページ６１６に要件「禁止」が規定されている。
【０１１０】
画像形成装置１２０のドキュメント属性取得部１１１は、ドキュメント６１５の属性を読み取り、動作要件選択部１１２に通知する。動作要件選択部１１２は、通知されたドキュメント６１５の属性（要件）をページ管理テーブルＤＢ６３に格納する。動作処理部１１３は、ページ管理テーブルＤＢ６３から各ページの要件を読み出し、その要件に従って、読み取り部７１により読み取ったドキュメントデータ６１７のデータに対する印刷部８２による両面印刷を制御する（ステップＳ２）。図１６では、ページ番号「３」のページ６１５の要件が「禁止（複写禁止）」となっているため、ドキュメント６１５を読み取ったデータから３ページ目のデータを削除したドキュメントデータ６１７を蓄積データＤＢ６２へ格納する。印刷処理を行う場合は、削除した３ページ目のデータを詰めて印刷する。
【０１１１】
このように、ページ管理テーブルＤＢ６３に格納された要件から、所定のページに複写禁止要件がある場合、そのページのデータのみを削除したドキュメントデータに対して該当ページを詰めて両面印刷を行なうことができる。
【０１１２】
次に、両面印刷されたドキュメントに対して印刷処理を行う場合、所定のページが複写禁止であることを示すための処理について説明する。図１７は、両面印刷の場合の複写禁止の要件を有するドキュメントデータの読み込み、印刷処理について説明するための図である。図１７において、画像形成装置１２０は、読み取りの対象となるドキュメント（紙原稿）６１５を読み取る（ステップＳ１）。ドキュメント６１５には、ページ番号「３」のページ６１６に要件「禁止（複写禁止）」が規定されている。
【０１１３】
画像形成装置１２０のドキュメント属性取得部１１１は、ドキュメント６１５の属性を読み取り、動作要件選択部１１２に通知する。動作要件選択部１１２は、通知されたドキュメント６１５の属性（要件）をページ管理テーブルＤＢ６３に格納する。動作処理部１１３は、ページ管理テーブルＤＢ６３から各ページの要件を読み出し、その要件に従って、読み取り部７１により読み取ったドキュメント６１５のデータに対する印刷部８２による印刷を制御する。図１７では、要件が「禁止」となっているページ番号「３」のページ６１６のデータを消去して、代りに該当ページが複写禁止であったことを示す情報、例えば、６１９に示すように「複写禁止」を示す情報を、ドキュメントデータ６１８に書き込んで蓄積データＤＢ６２へ格納する。
【０１１４】
このように、ページ管理テーブルＤＢ６３に格納された要件から、所定のページに複写禁止要件がある場合、そのページのデータのみを削除し、該当ページの部分に複写禁止を示してドキュメントデータを印刷することができる。
【０１１５】
また、複写装置としての画像形成装置１２０では、ユーザーが望む処理がその都度異なる場合が多く、複写を行うドキュメントのセキュリティに関する情報や、そのドキュメントに対する処理内容をユーザーに通知し、ユーザーからの確認情報を取得する必要がある。そのため、図１２に示す画像形成装置１２０に、ユーザーに通知するための動作情報通知部と、ユーザーから確認情報を取得するための確認情報取得部を備える必要があり、これらの処理部を設けた場合の変形例について以下に説明する。
【０１１６】
図１８は、ドキュメントのページ毎の要件に従って処理を行う複写装置としての画像形成装置の変形例を示すシステム構成図である。尚、図１８に示す複写装置としての画像形成装置１３０において、図１２に示す画像形成装置１２０と同様の構成については同符号を付して説明を省略し、画像形成装置１３０が動作情報通知部７６と、確認情報取得部７７とを備えた点で画像形成装置１２０と相異するため、以下に相違点を説明する。図１８において、動作情報通知部７６は、動作制御部１１３による処理結果を示す情報を生成し、ユーザーへ通知を行う。確認情報取得部７７は、動作情報通知部７６により通知された処理結果を確認したユーザーから入力された確認情報を取得する。
【０１１７】
例えば、処理結果を通知する方法、確認情報を入力する方法として、画像形成装置１３０のオペレーションパネル３６に処理結果、確認情報を表示するものとする。このオペレーションパネル３６には、処理結果として「複写禁止されているページが含まれています」、「３ページ目の読み取りが禁止されています」などの通知が行われ、また、確認情報として「該当ページをスキップして複写する」、「複写を取り止める」などの入力域が表示される。また、ユーザーから両面印刷や集約の指定がされている場合、印刷の仕上がりがわかる画像表示を行ってもよい。
【０１１８】
次に、オペレーションパネル３６への画像表示の例について説明する。図１９は、ユーザーへ処理結果の通知及び確認情報の入力を促すための画像表示例を示す図である。図１９において、画像形成装置１３０のオペレーションパネル３６に表示される画面７７０には、読み取ったドキュメントの要件を示す表示域７７１と、表示域７７１に表示されたドキュメントに対する複数の動作から所定の動作を選択して入力するための表示域７９０とが表示される。表示域７７１には、読み取ったドキュメントとその要件を抽象的に示す画像７７２と、その要件の内容を示す表示域７７３とが表示される。また、表示域７９０には、印刷の仕上がりを抽象的に示す画像７７５〜７７９と、確認情報として各画像に対する処理内容を示す入力域７７６〜７８０とが表示される。入力域７７６には、「該当ページをスキップして複写する」という情報が表示され、画像７７５には、ドキュメントの３ページ目のみを白紙で印刷した場合の画像を示している。入力域７７８には、「該当ページを詰めて複写する」という情報が表示され、画像７７７には、ドキュメントの３ページ目を詰めて印刷した場合の画像を示している。入力域７８０には、「複写を取り止める」という情報が表示され、画像７７９には、印刷を行わないため、画像が表示されない。
【０１１９】
例えば、ユーザーが画面７７０から、図１９の網掛けで示すように入力域７７６をタッチして選択（又は画像７７５をタッチして選択）することで、画像形成装置１３０は、選択された確認情報に基づいて、読み取ったドキュメントのページ毎の要件に従って、そのドキュメントに対する印刷処理を行うことができる。
【０１２０】
このように、複写装置としての画像形成装置１３０でのドキュメントの各ページの要件に従って制御される複数の動作から、ユーザーに所定の印刷処理を選択させ、ドキュメントのページ毎の要件をユーザーに通知すると共に、そのドキュメントのページ毎の要件に対する印刷処理の確認を促すことができる。
【０１２１】
従って、本発明の画像形成装置において、ドキュメントの各ページに許可及び禁止の要件が混在する場合でも、各ページの要件に従ってドキュメントデータに対する動作を制御することができる。
【０１２２】
尚、ドキュメントの各ページの許可及び禁止要件を一意に識別する埋め込み情報として、バーコード情報、透かし情報、地紋情報のうち少なくとも一つの情報が用いられている。また、本発明の画像形成装置１００、１０１、１１０、１２０、１３０は、プリンタ、ＦＡＸ、コピー当の複数の異なる画像形成機能の少なくとも一つを有する装置である。
【図面の簡単な説明】
【０１２３】
【図１】本発明の第１実施例に係る画像形成装置のハードウェア構成を示すブロック図である。
【図２】本発明の第１実施例に係る画像形成装置のシステム構成図である。
【図３】ページ管理テーブルＤＢに格納されるテーブルを示す図である。
【図４】読み取り禁止の要件を有するドキュメントのデータ処理について説明するための図である。
【図５】読み取り禁止の要件を有するドキュメントのデータ処理について説明するための図である。
【図６】信頼できる通信路を利用するという要件を有するドキュメントのデータ送信処理について説明するための図である。
【図７】信頼できる通信路を利用するという要件を有するドキュメントのデータ送信処理について説明するための図である。
【図８】本発明の第２実施例に係る画像形成装置のシステム構成図である。
【図９】ユーザーに処理結果を通知するための表示例を示す図である。
【図１０】本発明の第３実施例に係る画像形成装置のシステム構成図である。
【図１１】ユーザーに動作確認を促すための表示例を示す図である。
【図１２】ドキュメントのページ毎の要件に従って処理を行う複写装置としての画像形成装置のシステム構成図である。
【図１３】ページ管理テーブルＤＢに格納されるテーブルを示す図である。
【図１４】複写禁止の要件を有するドキュメントデータの読み込み、印刷処理について説明するための図である。
【図１５】複写禁止の要件を有するドキュメントデータの読み込み、印刷処理について説明するための図である。
【図１６】両面印刷の場合の複写禁止の要件を有するドキュメントデータの読み込み、印刷処理について説明するための図である。
【図１７】両面印刷の場合の複写禁止の要件を有するドキュメントデータの読み込み、印刷処理について説明するための図である。
【図１８】ドキュメントのページ毎の要件に従って処理を行う複写装置としての画像形成装置の変形例を示すシステム構成図である。
【図１９】ユーザーへ処理結果の通知及び確認情報の入力を促すための画像表示例を示す図である。
【符号の説明】
【０１２４】
１１          ＣＰＵ
１２          ＲＯＭ
１３          ＲＡＭ
１４          不揮発性ＲＡＭ
１５          リアルタイムクロック
２１          イーサネット（登録商標）Ｉ／Ｆ
２２          ＵＳＢ
２３          ＩＥＥＥ1284
２４          ハードディスクＩ／Ｆ
２５          エンジンＩ／Ｆ
２６          ＲＳ−２３２Ｃ  Ｉ／Ｆ
２７          ドライバ
３７          記録媒体
６０          紙原稿
６１          画像データＤＢ
６２          蓄積データＤＢ
６３          ページ管理テーブルＤＢ
６５          紙出力
７１          読み取り部
７２          読み取り条件取得部
７３          データ送信先取得部
７４          データ処理部
７５          データ送信部
７６          動作情報通知部
８１          複写条件取得部
８２          印刷部
１００、１０１、１１０、１２０、１３０    画像形成装置
１１１        ドキュメント属性取得部
１１２        動作要件選択部
１１３        動作制御部
１２１        ユーザ属性取得部
Ｂ            システムバス
【図１】
2005151149.tif 000003
【図２】
2005151149.tif 000004
【図３】
2005151149.tif 000005
【図４】
2005151149.tif 000006
【図５】
2005151149.tif 000007
【図６】
2005151149.tif 000008
【図７】
2005151149.tif 000009
【図８】
2005151149.tif 000010
【図９】
2005151149.tif 000011
【図１０】
2005151149.tif 000012
【図１１】
2005151149.tif 000013
【図１２】
2005151149.tif 000014
【図１３】
2005151149.tif 000015
【図１４】
2005151149.tif 000016
【図１５】
2005151149.tif 000017
【図１６】
2005151149.tif 000018
【図１７】
2005151149.tif 000019
【図１８】
2005151149.tif 000020
【図１９】
2005151149.tif 000021